(57)【要約】【課題】設置状況の異なる複数の外調機を備えた空調システムであっても全外調機の凍結防止機能を維持し、電力デマンド制御との併用を可能とする凍結防止制御システムを実現する。【解決手段】空調制御部８は、外調機１出口側の循環配管１３を流れる冷温水の温度が凍結防止設定温度で維持されるように、冷温水弁１２の開度を外調機１ごとに制御する。また、各冷温水弁１２から流れる冷温水の流量の変動を流量計が測定し、空調制御部８がその流量に比例してポンプの吐出圧力を増大させる。【選択図】図１
2009216321.tif 000002
【特許請求の範囲】
【請求項１】
内部を流れる冷温水と外気とを熱交換して調整空気を送出する複数の外調機における当該冷温水の凍結を防止する凍結防止制御システムにおいて、
前記外調機の冷温水の温度を測定する冷温水温度計と、
前記外調機の冷温水の流量を調整する冷温水弁と、
前記冷温水温度計を用いて測定された前記冷温水の温度に応じて前記冷温水弁の開度を外調機ごとに制御する空調制御部とを備えた凍結防止制御システム。
【請求項２】
外気の温度を測定する外気温度計を備え、
空調制御部は、前記外気の温度が所定値より低下すると、冷温水弁の開度制御を開始することを特徴とする請求項１記載の凍結防止制御システム。
【請求項３】
空調制御部は、外部から電力デマンド制御要求が入力された場合には、冷温水弁を予め設定された開度で制御することを特徴とする請求項１または請求項２記載の凍結防止制御システム。
【請求項４】
外調機に冷温水を供給するポンプと、
前記ポンプの吐出圧力を調整する吐出圧力調整部と、
各冷温水弁により調整された前記冷温水の総流量を測定する流量計とを備え、
空調制御部は、前記総流量に基づいて前記ポンプの吐出圧力が可変するように、前記吐出圧力調整部を制御することを特徴とする請求項１から請求項３のうちのいずれか１項記載の凍結防止制御システム。
【請求項５】
複数の外調機にポンプで冷温水をそれぞれ供給し、前記複数の外調機内を流れる当該冷温水と外気とを熱交換して調整空気を送出する空調システムにおける当該冷温水の凍結防止制御を行う凍結防止制御方法において、
前記外調機内を流れる冷温水の温度を冷温水温度計を用いて測定する温度測定ステップと、
前記温度測定ステップで測定された温度に基づいて、前記外調機内を流れる冷温水の流量を調整する冷温水弁の開度を外調機ごとに制御する流量調整ステップと、
前記流量調整ステップで制御された外調機ごとの前記冷温水弁の開度により決定される前記冷温水の総流量に基づいて前記ポンプの吐出圧力を可変させるよう調整を行う吐出圧力調整ステップとを備えた凍結防止制御方法。
【発明の詳細な説明】
【技術分野】
【０００１】
この発明は、外気取入空気と配管を流れる循環水との間で熱交換処理する外調機におけるコイルの凍結防止制御システムに関するものである。
【背景技術】
【０００２】
外調機において、配管を流れる循環水と外気取入空気との間で熱交換を行うコイルは、外気温度の低下によって凍結・破裂するおそれが生じる。凍結を防止するために、例えば特許文献１では、循環水温度を監視し、循環水温度に応じて、循環水の流量を調整する循環水凍結防止制御装置が開示されている。この装置は循環水を循環させるポンプを制御して、循環水温度に反比例して循環水の流量を増大させることにより、必要最低限の消費電力で凍結を防止させる。
【０００３】
【特許文献１】実開平１−１０００４４号公報
【発明の開示】
【発明が解決しようとする課題】
【０００４】
従来の循環水凍結防止制御装置は以上のように構成されているので、各外調機に流れる循環水の流量を調整する循環水弁の開度制御は行っていない。そのため、配管に配設されている複数の外調機全てに循環水を流すためには多量の循環水が必要となるという課題があった。また、多量の循環水を流すために、ポンプの消費電力が増大してしまう。反対に、電力デマンド制御に応じて消費電力を軽減する目的で、循環水の流量を減少させた場合には、外調機の設置状況（設置階層、配管抵抗、周辺気温等）によっては、全ての外調機の凍結防止機能を維持することが困難となるという課題があった。
【０００５】
この発明は、上記のような課題を解決するためになされたもので、設置状況の異なる複数の外調機を備えた空調システムであっても全外調機の凍結防止機能を維持し、電力デマンド制御との併用を可能とする凍結防止制御システムを実現することを目的とする。
【課題を解決するための手段】
【０００６】
この発明に係る凍結防止制御システムは、外調機の冷温水の温度を測定する冷温水温度計と、外調機の冷温水の流量を調整する冷温水弁と、冷温水温度計を用いて測定された冷温水の温度に応じて冷温水弁の開度を外調機ごとに制御する空調制御部とを備えたものである。
【０００７】
この発明に係る凍結防止制御システムは、外気の温度を測定する外気温度計を備え、空調制御部が、前記外気の温度が所定値より低下すると、冷温水弁の開度制御を開始するようにしたものである。
【０００８】
この発明に係る凍結防止制御システムにおいて、空調制御部は、外部から電力デマンド制御要求が入力された場合には、冷温水弁を予め設定された開度で制御するようにしたものである。
【０００９】
この発明に係る凍結防止制御システムは、外調機に冷温水を供給するポンプと、ポンプの吐出圧力を調整する吐出圧力調整部と、各冷温水弁により調整された冷温水の総流量を測定する流量計とを備え、空調制御部は、総流量に基づいてポンプの吐出圧力が可変するように、吐出圧力調整部を制御するようにしたものである。
【００１０】
この発明に係る凍結防止制御方法は、外調機内を流れる冷温水の温度を冷温水温度計を用いて測定する温度測定ステップと、温度測定ステップで測定された温度に基づいて、外調機内を流れる冷温水の流量を調整する冷温水弁の開度を外調機ごとに制御する流量調整ステップと、流量調整ステップで制御された外調機ごとの冷温水弁の開度により決定される冷温水の総流量に基づいてポンプの吐出圧力を可変させるよう調整を行う吐出圧力調整ステップとを備えたものである。
【発明の効果】
【００１１】
この発明によれば、外調機の冷温水の温度を測定する冷温水温度計と、外調機の冷温水の流量を調整する冷温水弁と、冷温水温度計を用いて測定された冷温水の温度に応じて冷温水弁の開度を外調機ごとに制御する空調制御部とを備えるように構成したので、設置状況の異なる複数の外調機を備えた空調システムであっても全外調機の凍結防止機能を維持しつつ、消費電力の抑制を可能とする凍結防止制御システムを実現することができる。
【発明を実施するための最良の形態】
【００１２】
実施の形態１．
図１は、この発明の実施の形態１に係る外調機の構成を示す構成図である。図１に示す外調機１は、矢印２方向から外気を取り入れ、熱交換処理した外気取入空気を調整空気として室内側矢印３方向へ供給する。室内から戻る空気が通る還気ダクトは説明を省略する。矢印２方向から外調機１に取り入れられた外気取入空気は、フィルタ４を介して、冷温水コイル５へ導入される。冷温水コイル５は、後述する循環配管１３を流れる冷水または温水（以下、冷温水とする）とこの外気取入空気との間で熱交換処理を行う。この処理によって加熱または冷却された調整空気が、加湿器６によって湿度調整され、ファン７により矢印３方向へ排出される。この外調機１の各部の動作は、空調制御部８が制御している。
【００１３】
空調制御部８は、外気または外気取入空気の温度を測定する温度計（外気温度計）９、および外調機出口側の循環配管１３を流れる冷温水の温度を測定する温度計（冷温水温度計）１０と接続され、温度計９，１０から出力される外気温度および冷温水温度を監視する。また、空調制御部８は、図示しない外気取入ダクトに設置されたダンパ１１を制御して外気取入空気の流量を調整する。また、循環配管１３に介設された冷温水弁１２を制御して冷温水の流量を調節する。
【００１４】
図２は、この発明の実施の形態１に係る空調システムの全体構成を説明する構成図である。図２に示す空調システムは、空調ユニット１００、熱源ユニット２００およびポンプユニット３００が循環配管１３で接続され、冷温水が循環している。空調ユニット１００と熱源ユニット２００をつなぐ循環配管１３の途中に流量計１４が設置され、冷温水の流量が測定される。
【００１５】
図２において、空調ユニット１００は、図１に示す外調機１ａ，１ｂ，１ｃ、温度計１０ａ，１０ｂ，１０ｃ、冷温水弁１２ａ，１２ｂ，１２ｃを有する。また、外調機１ａ，１ｂ，１ｃに取り入れられる外気温度を測定する温度計９ａ，９ｂ，９ｃが設置され（不図示）、各外気温度を測定している。なお、図２では、外気取入ダクト、給気ダクト、還気ダクトといった熱交換処理される空気の流れ、および熱交換処理された外気取入空気を室内に給気する内調機の説明は省略する。
【００１６】
熱源ユニット２００は、外調機１において外気取入空気と熱交換された後の冷温水を冷温熱源機器１６へ送る１次ポンプ１５ａ，１５ｂ，１５ｃ、空調ユニット１００で必要な冷温水を造る冷温熱源機器１６ａ，１６ｂ，１６ｃを有する。
【００１７】
ポンプユニット３００は、循環配管１３を流れる冷温水量を制御するためのヘッダ２１，２２、ヘッダ２１，２２に介設されたバイパス弁１７、ヘッダ２１，２２の間に並設された複数の循環配管１３のそれぞれに配設された２次ポンプ１８ａ，１８ｂ，１８ｃ（ポンプ）、各２次ポンプ１８の回転数を制御するインバータ１９ａ，１９ｂ，１９ｃ（吐出圧力調整部）を有する。ヘッダ２１には圧力計２０が備えられ、ポンプユニット３００から吐出される冷温水の吐出圧力が測定される。バイパス弁１７の開度および２次ポンプ１８ａ，１８ｂ，１８ｃの回転数を調整することにより、吐出圧力を制御する。
【００１８】
ヘッダ２２とヘッダ２３とをつなぐ循環配管１３に介設された連結弁２４が、空調ユニット１００側を流れる冷温水量と熱源ユニット２００側を流れる冷温水量とのバランスを調整している。
温度計１０、流量計１４および圧力計２０は、それぞれ空調制御部８に接続され、測定値を出力している。空調制御部８は、これらの測定値を用いて、空調システムの各部を制御する。
【００１９】
なお、外調機１、温度計９，１０、冷温水弁１２、１次ポンプ１５、冷温熱源機器１６、２次ポンプ１８およびインバータ１９は、空調システムの設計によって必要な設置数を決定すればよい。また、空調制御部８は、１つの外調機１に１つ備える構成であっても、複数の外調機１を有する空調システムに１つ備える構成であってもよい。以下では、説明を簡略化するために、区別する必要がない限りこれら各部を１つずつ用いることとする。
【００２０】
以下では、凍結防止制御システムの動作について説明する。図３は、この発明の実施の形態１に係る凍結防止制御システムの動作を示すフローチャートである。
ステップＳＴ１０１において、空調制御部８は、温度計９により測定された外気温度が予め設定された外気温度（外気設定温度）と比較して低くなると、２次ポンプ１８を起動させ、かつ、冷温水弁１２を最小設定開度（例えば１０％）で開け、最小流量の冷温水を循環配管１３内に循環させる（ステップＳＴ１０２）。ただし、２次ポンプ１８が既に起動している場合、空調制御部８は冷温水弁１２の開度のみを制御する。
外気設定温度は、外調機１の冷温水コイル５および循環配管１３内を流れる冷温水が凍結しない温度（例えば３℃）であればよく、外調機１ごとに異なる温度でもよい。
【００２１】
ステップＳＴ１０３において、空調制御部８は、予め設定された、循環配管１３が場所によらず均一の温度となるまでの設定時間が経過したら（ステップＳＴ１０３“Ｙｅｓ”）、ステップＳＴ１０４の処理へ進む。なお、ステップＳＴ１０３の処理は必須ではなく、空調制御部８は設定時間を待たずにステップＳＴ１０４の処理へ進んでもよい。
【００２２】
ステップＳＴ１０４では、温度計１０により測定される冷温水温度が凍結防止設定温度で維持されるように、空調制御部８が冷温水弁１２の開度を比例制御する。具体的には、温度計１０が冷温水温度を測定し（温度測定ステップ）、空調制御部８が冷温水温度と冷温水弁１２の開度とが反比例するように開度制御を行い、循環配管１３内の流量を増大させる（流量調整ステップ）。凍結防止設定温度は、冷温水が凍結しない温度（例えば１℃）であればよく、外調機１ごとに異なる温度でもよい。これにより外調機１を流れる冷温水の流量を設置状況に応じて調整することができ、全ての外調機１の凍結を防止することが可能となる。このとき、循環配管１３には必要最低限の流量しか循環しないので、２次ポンプ１８の搬送動力を軽減することができる。
【００２３】
ステップＳＴ１０４の冷温水弁１２開度制御によって変動する流量は、流量計１４によって測定され、空調制御部８に出力される。流量計１４の測定する冷温水流量が設定最小流量を下回ると（ステップＳＴ１０５“Ｙｅｓ”）、空調制御部８は、ステップＳＴ１０６においてバイパス弁１７を開け、かつ、インバータ１９を制御して２次ポンプ１８を最小回転数で運転させる。バイパス弁１７および２次ポンプ１８への制御により、冷温水流量が設定最小流量以上に維持される。
【００２４】
空調制御部８は、ステップＳＴ１０７において冷温水流量が設定最小流量以上になったことを確認すると（ステップＳＴ１０７“Ｙｅｓ”）、続くステップＳＴ１０８にて、ポンプユニット３００の吐出圧力を冷温水流量に基づいて設定する。
図４は、この発明の実施の形態１に係る吐出圧力の設定例を示すグラフである。図４において、左縦軸はポンプユニット３００の吐出設定圧力を示し、右縦軸は２次ポンプ１８の増段設定１，２での運転台数を示し、横軸は流量計１４で測定される冷温水流量を示す。空調制御部８は、冷温水流量が設定最小流量４０を超えた時点から、ポンプユニット３００の吐出圧力が流量計１４の測定した冷温水流量に比例した値となるよう吐出設定圧力を決定する（ステップＳＴ１０８）。また図４に示すように、空調制御部８は流量計１４で測定された冷温水流量と予め設定された増減段流量とを比較して２次ポンプ１８の台数制御を行う。
【００２５】
ステップＳＴ１０９において、空調制御部８は、吐出設定圧力と圧力計２０で測定されるポンプユニット３００の吐出圧力とを比較する。吐出圧力が吐出設定圧力と一致した場合（ステップＳＴ１０９“Ｙｅｓ”）、空調制御部８は２次ポンプ１８の回転数を維持して運転させる。一方、吐出圧力が吐出設定圧力と一致しない場合には（ステップＳＴ１０９“Ｎｏ”）、空調制御部８はインバータ１９を制御して２次ポンプ１８の回転数を増減させ、吐出圧力を吐出設定圧力と一致させる。このとき、循環配管１３には必要最低限の流量しか循環させないので、ポンプユニット３００において稼動する２次ポンプ１８の搬送動力を軽減することができる。なお、ステップＳＴ１０５−ＳＴ１１１は吐出圧力調整ステップである。
【００２６】
以上のように、実施の形態１によれば、外気と循環配管１３を循環する冷温水との間で熱交換処理した空気を供給する複数の外調機１と、外調機１内を流れる冷温水の温度を測定する温度計１０と、外調機１内を流れる冷温水の流量を調整する冷温水弁１２と、冷温水の温度に応じて冷温水弁１２の開度を外調機１ごとに制御する空調制御部８とを備えるようにした。そのため、各外調機１の設置状況に応じた必要最低限の流量で冷温水を循環させることができる。従って、複数の外調機１を備えた空調システムにおいて、全ての外調機１の凍結を防止することができる。
【００２７】
また、実施の形態１によれば、循環配管１３内の冷温水を循環させ、外調機１に冷温水を供給する２次ポンプ１８と、２次ポンプ１８の吐出圧力を調整するインバータ１９と、冷温水弁１２により調整された冷温水の総流量を測定する流量計１４とを備え、空調制御部８が、総流量に比例して２次ポンプ１８の吐出圧力が増大するように、インバータ１９を制御すると共に総流量に応じて２次ポンプ１８の台数制御を行うようにした。そのため、２次ポンプ１８の搬送動力を軽減することができる。従って、空調システムの消費電力を抑制することができる。
【００２８】
また、実施の形態１によれば、外気の温度を測定する外気温度計を備え、空調制御部８は、外気温度が外気設定温度より低下すると、冷温水弁１２の開度制御を開始するようにした。そのため、外気温度が低く、凍結のおそれがあるときのみ凍結防止制御を開始することができ、無駄な電力消費をすることがない。
【００２９】
実施の形態２．
上記実施の形態１では、各外調機に流れる冷温水流量をそれぞれ調整し、必要最低限の流量に制限することで、消費電力を抑制する構成とした。この実施の形態２では、凍結防止制御システムが、電力デマンド制御の要請に応じて、全外調機の凍結防止機能を維持しながら、消費電力を抑制する構成とする。
【００３０】
図５は、この発明の実施の形態２に係る空調システムの構成を説明する構成図である。図５に示す空調システムは、上記実施の形態１に示す空調システムに電力計２５および電力デマンド制御部２６を追加した構成である。図５において図２と同一または相当の部分は同一の符号を付し説明を省略する。
図５に示す電力計２５は、空調システムが導入されている建物等の消費電力、つまりデマンド値を測定し、電力デマンド制御部２６へ出力する。デマンド値が予め設定された設定電力を超えると、電力デマンド制御部２６が電力デマンド超過信号を出力する。電力デマンド超過信号を受け付けた空調制御部８が空調システムの消費電力を制限することで、電力デマンド制御を行う。
【００３１】
次に、電力デマンド制御部２６が電力デマンド超過信号を出力した場合に、電力デマンド超過信号を受け付けた空調制御部８が行う空調システムの電力デマンド制御の動作について説明する。図６は、この発明の実施の形態２に係る凍結防止制御システムの電力デマンド制御動作の１例を示すフローチャートである。
図６において、空調制御部８は、電力デマンド制御部２６から電力デマンド超過信号が入力されると、冷温水弁１２の開度を予め設定された電力デマンド設定開度と比較する（ステップＳＴ２０１）。電力デマンド設定開度には、外調機１ごとに異なる値を設定することができる。例えば、室内温度制御の必要性が高い場所へ給気するための外調機には、より大きな値の電力デマンド設定開度を設定し、必要性が低い場所へ給気する外調機には、より小さな値の電力デマンド設定開度を設定する。
【００３２】
ステップＳＴ２０１において、冷温水弁１２の開度が電力デマンド設定開度以上の場合（ステップＳＴ２０１“Ｙｅｓ”）、空調制御部８は冷温水弁１２の開度を電力デマンド設定開度となるよう制御する（ステップＳＴ２０２）。一方、冷温水弁１２の開度が電力デマンド設定開度より小さい場合には（ステップＳＴ２０１“Ｎｏ”）、空調制御部８は冷温水弁１２の現在の開度を維持する（ステップＳＴ２０３）。
【００３３】
次に、凍結防止制御システムの動作について説明する。図７は、この発明の実施の形態２に係る凍結防止制御システムの動作の１例を示すフローチャートである。
図７において、冷温水弁１２が全閉（０％）でなく（ステップＳＴ３０１“Ｙｅｓ”）、かつ外気温度が外気設定温度（例えば３℃）以上である場合に（ステップＳＴ３０２“Ｙｅｓ”）、電力デマンド制御部２６から電力デマンド超過信号が入力されると（ステップＳＴ３０３“Ｙｅｓ”）、ステップＳＴ３０４において図６で示す電力デマンド制御が開始される。
夏季等の外気温度が外気設定温度より高い場合、冷温水が凍結するおそれがないため、凍結防止制御は行わない。そのため、ステップＳＴ３０４における電力デマンド制御終了後、または電力デマンド超過信号の入力がない場合には（ステップＳＴ３０３“Ｎｏ”）、処理は再びステップＳＴ３０１に戻る。
【００３４】
他方、冷温水弁１２が全閉（ステップＳＴ３０１“Ｎｏ”）、かつ外気温度が外気設定温度以下となる（ステップＳＴ３０５“Ｙｅｓ”）ような冬季には、外調機１の冷温水コイル５および循環配管１３内を流れる冷温水は凍結するおそれがあるため、空調制御部８は凍結防止制御を開始する。空調制御部８は、２次ポンプ１８を起動させ、かつ、冷温水弁１２を最小設定開度（例えば１０％）で開け、最小流量の冷温水を循環配管１３内に循環させる（ステップＳＴ３０６）。ただし、２次ポンプ１８が既に起動している場合、空調制御部８は冷温水弁１２の開度のみを制御する。また、外気温度が外気設定温度より高い場合には（ステップＳＴ３０５“Ｎｏ”）、処理はステップＳＴ３０１へ戻る。
【００３５】
ステップＳＴ３０７において、空調制御部８は、予め設定された、循環配管１３が場所によらず均一の温度となるまでの設定時間（例えば５分）が経過したら（ステップＳＴ３０７“Ｙｅｓ”）、ステップＳＴ３１１の処理へ進む。
【００３６】
他方、冬季に、既に空調機が起動している状況（ステップＳＴ３０１“Ｙｅｓ”）において外気温度が外気設定温度より低い場合（ステップＳＴ３０２“Ｎｏ”）、凍結防止制御を行う必要性が生じるため、空調制御部８は冷温水弁１２の開度を最小設定開度（例えば１０％）と比較する（ステップＳＴ３０８）。比較の結果、冷温水弁１２の開度が最小設定開度以下の場合には（ステップＳＴ３０８“Ｙｅｓ”）、空調制御部８は、凍結防止のために冷温水弁１２を最小設定開度まで開く（ステップＳＴ３０９）。一方、比較の結果、冷温水弁１２の開度が最小設定開度より大きい場合には（ステップＳＴ３０８“Ｎｏ”）、凍結のおそれはないので、空調制御部８は冷温水弁１２の現在の開度を維持する。
【００３７】
ステップＳＴ３１１において、空調制御部８は温度計１０により測定される冷温水温度と凍結防止設定温度（例えば１℃）とを比較する。比較の結果、冷温水温度が凍結防止設定温度以下の場合には（ステップＳＴ３１１“Ｙｅｓ”）、冷温水温度が凍結防止設定温度で維持されるように、空調制御部８が冷温水弁１２の開度を比例制御する。この比例制御は図３のステップＳＴ１０４と同じであるため説明は省略する。
比較の結果、冷温水温度が凍結防止設定温度より高い場合には（ステップＳＴ３１１“Ｎｏ”）、処理はステップＳＴ３０１へ戻る。
【００３８】
ステップＳＴ３１２の比例制御の後に、電力デマンド制御２６から空調制御部８へ電力デマンド超過信号が入力された場合（ステップＳＴ３１３“Ｙｅｓ”）でも、冷温水温度が凍結防止設定温度で維持されるように、空調制御部８は冷温水弁１２の開度の比例制御を継続する。
以上の制御により、デマンド値が設定電力を超過することが予測されるような場合に、空調機ごとに電力デマンド設定開度以下となるように各冷温水弁の開度が制御されるため、室内環境を最低限維持しながら、循環配管１３を流れる冷温水の流量を制限して、２次ポンプ１８の搬送動力を軽減することができる。そのため、空調システムの消費電力を抑制することができる。なお、電力デマンド制御が必要となるのは一般的に夏季および冬季であるが、建物用途によっては中間期においても電力デマンド制御が必要となる場合があり、上記凍結防止制御システムは中間期においても適用可能である。
【００３９】
以上のように、実施の形態２によれば、凍結防止制御を行う最中に電力デマンド制御部２６から電力デマンド超過信号が入力された場合には、凍結防止制御が優先されるが、空調機ごとに冷温水温度が凍結防止設定温度で維持されるように冷温水弁の比例制御を行うため、必要最小限の開度に抑えられ、過度のデマンド上昇を抑えることができる。また、循環配管１３を流れる冷温水の流量を必要最小限に制限して、２次ポンプ１８の搬送動力を軽減することができる。従って、設置状況の異なる複数の外調機を備えた空調システムであっても全外調機の凍結防止機能を維持し、電力デマンド制御との併用を可能とする凍結防止制御システムを実現することができる。
また、消費電力を削減するために、外調機１の運転を停止させるのではなく、重要度に応じた冷温水弁１２の開度で各外調機１に冷温水を循環させるため、室内環境を最低限維持することができる。
【００４０】
なお、上記実施の形態２では、ステップＳＴ２０１およびＳＴ２０２において、各外調機１の冷温水弁１２を電力デマンド設定開度以下に制御する構成であったが、外調機１が送出した調整空気を室内に給気する内調機の設定温度を予め設定した値だけ高くシフトさせる構成であってもよい。さらに、予め設定する値を重要度に応じて、内調機ごとに異なる値としてもよい。この構成の場合、内調機の設定温度が高くなることにより、外調機１を流れる冷温水が減少し、結果として循環配管１３を流れる冷温水の流量が制限される。従って、この構成の場合にも、室内環境を最低限維持することができ、かつ、空調システムの消費電力を抑制することができる。
【図面の簡単な説明】
【００４１】
【図１】この発明の実施の形態１に係る外調機の構成を示す構成図である。
【図２】この発明の実施の形態１に係る空調システムの全体構成を説明する構成図である。
【図３−１】この発明の実施の形態１に係る凍結防止制御システムの動作を示すフローチャートである。
【図３−２】この発明の実施の形態１に係る凍結防止制御システムの動作を示すフローチャートである。
【図４】この発明の実施の形態１に係る吐出圧力の設定例を示すグラフである。
【図５】この発明の実施の形態２に係る空調システムの構成を説明する構成図である。
【図６】この発明の実施の形態２に係る凍結防止制御システムの電力デマンド制御動作の１例を示すフローチャートである。
【図７】この発明の実施の形態２に係る凍結防止制御システムの動作の１例を示すフローチャートである。
【符号の説明】
【００４２】
１  外調機
２，３  矢印
４  フィルタ
５  冷温水コイル
６  加湿器
７  ファン
８  空調制御部
９，１０  温度計
１１  ダンパ
１２  冷温水弁
１３  循環配管
１４  流量計
１５  １次ポンプ
１６  冷温熱源機器
１７  バイパス弁
１８  ２次ポンプ
１９  インバータ
２０  圧力計
２１，２２，２３  ヘッダ
２４  連結弁
２５  電力計
２６  電力デマンド制御部
４０  設定最小流量
１００  空調ユニット
２００  熱源ユニット
３００  ポンプユニット
【図１】
2009216321.tif 000003
【図２】
2009216321.tif 000004
【図３−１】
2009216321.tif 000005
【図３−２】
2009216321.tif 000006
【図４】
2009216321.tif 000007
【図５】
2009216321.tif 000008
【図６】
2009216321.tif 000009
【図７】
2009216321.tif 000010